(57)【特許請求の範囲】
【請求項１】
撚り線の外周が被覆されている第１の電導導体と、撚り線の外周が被覆されている第２の電導導体とを電気的に接続する超電導導体の接続装置において、外周被覆が除去されて撚り線が剥き出しにされている上記第１の電導導体の端部を挿入して電気的に接続する第１の挿入口と、外周被覆が除去されて撚り線が剥き出しにされている上記第２の電導導体の端部を挿入して電気的に接続する第２の挿入口とを有する電気伝導材の円管を用いて構成され、複数本の超電導線が前記円管の外周に配線されていることを特徴とする変動磁場のある中用いられる超電導導体の接続装置。
【請求項２】
第１及び第２の電導導体の管路に冷媒を流出入させる冷却管が円管に取り付けられていることを特徴とする請求項１記載の超電導導体の接続装置。
【請求項３】
複数本の超電導線が螺旋状に配線されていることを特徴とする請求項１記載の超電導導体の接続装置。
【発明の詳細な説明】
【技術分野】
【０００１】
この発明は、超電導ＣＩＣ（Ｃａｂｌｅ  Ｉｎ  Ｃｏｎｄｕｉｔ）導体などの超電導導体を相互に接続する超電導導体の接続装置に関するものである。
【背景技術】
【０００２】
超電導ＣＩＣ導体は、超電導撚り線の外周がステンレス鋼やインコロイなどで被覆されており、以下の非特許文献１には、２本の超電導ＣＩＣ導体を電気的に接続する超電導導体の接続装置が開示されている。
即ち、２本の超電導ＣＩＣ導体を電気的に接続する場合、超電導ＣＩＣ導体の端部における外周被覆を除去し、その外周被覆の代わりに銅管を被覆する。
そして、平行に並べられている２本の超電導ＣＩＣ導体の銅管間に銅ブロックを挿入し、半田などで各銅管と銅ブロックを接合するようにしている。
【０００３】
【非特許文献１】Ｈ．Ｔｓｕｊｉ  ｅｔ．ａｌ，Ｆｕｓｉｏｎ  Ｅｎｇｉｎｅｅｒｉｎｇ  ａｎｄ  Ｄｅｓｉｇｎ５５（２００１），ＩＴＥＲＲ＆Ｄ：Ｍａｇｎｅｔｓ：Ｃｏｎｄｕｃｔｏｒ  ａｎｄ  Ｊｏｉｎｔ  Ｄｅｖｅｌｏｐｍｅｎｔ
【発明の開示】
【発明が解決しようとする課題】
【０００４】
従来の超電導導体の接続装置は以上のように構成されているので、超電導ＣＩＣ導体に変動外部磁場が作用すると、銅ブロック及び銅管に渦電流が発生する。銅ブロック及び銅管に渦電流が発生すると、その銅ブロックと超電導ＣＩＣ導体の接続箇所にジュール熱（結合損失、交流損失）が発生する。外部磁場の変化率が大きい場合、渦電流による発熱及び電磁力が過大になり、その接続箇所においてクエンチや破損を招くことがある課題があった。
なお、銅ブロックの厚みを薄くすれば、銅ブロックに発生する渦電流を低減することができるが、超電導ＣＩＣ導体との接続強度を確保するには、ある程度の厚みが必要であり、また、２本の超電導ＣＩＣ導体を平行に並べる必要があるため、２本の超電導ＣＩＣ導体の電気的な接続箇所の小型化を図ることが困難である課題もあった。
【０００５】
この発明は上記のような課題を解決するためになされたもので、２本の超電導ＣＩＣ導体の電気的な接続箇所の小型化を図ることができる超電導導体の接続装置を得ることを目的とする。
また、この発明は、変化率が大きな磁場が作用しても、ジュール熱の発生を抑制することができる超電導導体の接続装置を得ることを目的とする。
【課題を解決するための手段】
【０００６】
この発明に係る超電導導体の接続装置は、撚り線の外周が被覆されている第１の電導導体と、撚り線の外周が被覆されている第２の電導導体とを電気的に接続する超電導導体の接続装置において、外周被覆が除去されて撚り線が剥き出しにされている上記第１の電導導体の端部を挿入して電気的に接続する第１の挿入口と、外周被覆が除去されて撚り線が剥き出しにされている上記第２の電導導体の端部を挿入して電気的に接続する第２の挿入口とを有する電気伝導材の円管を用いて構成され、複数本の超電導線が前記円管の外周に配線されているようにしたものである。
【発明の効果】
【０００７】
この発明によれば、第１及び第２の電導導体の電気的な接続箇所の小型化を図ることができる効果がある。
【発明を実施するための最良の形態】
【０００８】
実施の形態１．
図１はこの発明の実施の形態１による超電導導体の接続装置を示す斜視図であり、図において、第１の電導導体を構成する超電導ＣＩＣ導体１は超電導撚り線２の外周がステンレス鋼やインコロイなどで被覆されている。ただし、超電導ＣＩＣ導体１の端部（図中、点線で描かれている部分）は外周被覆３が除去されて超電導撚り線２が剥き出しにされている。なお、超電導撚り線２の内部には例えば液体ヘリウムなどの冷媒が流れる管路２ａが形成されている。
第２の電導導体を構成する超電導ＣＩＣ導体４は超電導撚り線５の外周がステンレス鋼やインコロイなどで被覆されている。ただし、超電導ＣＩＣ導体４の端部（図中、点線で描かれている部分）は外周被覆６が除去されて超電導撚り線５が剥き出しにされている。なお、図１では明示されていないが、超電導撚り線５の内部には例えば液体ヘリウムなどの冷媒が流れる管路５ａが形成されている。
【０００９】
円管７は例えば銅などの高電気伝導材を用いて構成され、外周被覆３が除去されて超電導撚り線２が剥き出しにされている超電導ＣＩＣ導体１の端部を挿入する挿入口７ａ（第１の挿入）と、外周被覆６が除去されて超電導撚り線５が剥き出しにされている超電導ＣＩＣ導体４の端部を挿入する挿入口７ｂ（第２の挿入口）とを有している。
【００１０】
次に動作について説明する。
超電導ＣＩＣ導体１と超電導ＣＩＣ導体４を電気的に接続する場合、外周被覆３が除去されて超電導撚り線２が剥き出しにされている超電導ＣＩＣ導体１の端部を円管７の挿入口７ａに挿入して、超電導ＣＩＣ導体１の超電導撚り線２を円管７の内側と電気的に接続する。
また、外周被覆６が除去されて超電導撚り線５が剥き出しにされている超電導ＣＩＣ導体４の端部を円管７の挿入口７ｂに挿入して、超電導ＣＩＣ導体４の超電導撚り線５を円管７の内側と電気的に接続する。
【００１１】
これにより、例えば、超電導ＣＩＣ導体１に流れる電流は、円管７を通じて超電導ＣＩＣ導体４に流れ、超電導ＣＩＣ導体４に流れる電流は、円管７を通じて超電導ＣＩＣ導体１に流れるようになる。
この際、円管７に変動外部磁場が作用すると、円管７に渦電流が発生するが、超電導ＣＩＣ導体１，４を平行に並べることなく、電気的に接続できるため、その接続箇所の小型化を図ることができる。
【００１２】
なお、円管７が超電導ＣＩＣ導体１，４を挿入している領域の長さは、超電導ＣＩＣ導体１，４の超電導撚り線２，５と十分に接触して直流抵抗が小さくなるように決定する。
また、円管７の管厚は、コンパクトさを損なうことなく、直流抵抗が小さくなるように決定する。
【００１３】
以上で明らかなように、この実施の形態１によれば、外周被覆３が除去されて超電導撚り線２が剥き出しにされている超電導ＣＩＣ導体１の端部を挿入する挿入口７ａと、外周被覆６が除去されて超電導撚り線５が剥き出しにされている超電導ＣＩＣ導体４の端部を挿入する挿入口７ｂとを有する電気伝導材の円管７を用いて構成したので、超電導ＣＩＣ導体１と超電導ＣＩＣ導体４の電気的な接続箇所の小型化を図ることができる効果を奏する。
【００１４】
なお、この実施の形態１では、外周被覆３が除去されて超電導撚り線２が剥き出しにされている超電導ＣＩＣ導体１の端部を円管７の挿入口７ａに挿入し、外周被覆６が除去されて超電導撚り線５が剥き出しにされている超電導ＣＩＣ導体４の端部を円管７の挿入口７ｂに挿入するものについて示したが、外周被覆３が除去されて超電導撚り線２が剥き出しにされている超電導ＣＩＣ導体１の端部に銅管を被せて、その端部を円管７の挿入口７ａに挿入し、外周被覆６が除去されて超電導撚り線５が剥き出しにされている超電導ＣＩＣ導体４の端部に銅管を被せて、その端部を円管７の挿入口７ｂに挿入するようにしてもよい。
【００１５】
実施の形態２．
上記実施の形態１では、同心状の超電導ＣＩＣ導体１，４を電気的に接続するものについて示したが、超電導ＣＩＣ導体１，４が偏心している場合、図２に示すように、クランク状に形成されている円管７を用いて、超電導ＣＩＣ導体１と超電導ＣＩＣ導体４を電気的に接続するようにしてもよい。
【００１６】
また、平行に並んでいる超電導ＣＩＣ導体１，４を電気的に接続する場合には、図３に示すように、Ｕ字状に形成されている円管７を用いて、超電導ＣＩＣ導体１と超電導ＣＩＣ導体４を電気的に接続するようにしてもよい。
また、図４に示すように、超電導ＣＩＣ導体１と超電導ＣＩＣ導体４を折り曲げ、図１の円管７と同じ円管７を用いて接続するようにしてもよい。
【００１７】
実施の形態３．
図５はこの発明の実施の形態３による超電導導体の接続装置を示す斜視図であり、図において、図１と同一符号は同一または相当部分を示すので説明を省略する。
冷却管８は超電導ＣＩＣ導体１，４の管路２ａ，５ａに冷媒を流出入させるために、円管７の周囲に取り付けられている。
【００１８】
超電導ＣＩＣ導体１，４の内部には冷媒を流す管路２ａ，５ａが形成されており、例えば、液体ヘリウムなどの冷媒が流されることによって、超電導ＣＩＣ導体１，４の超電導状態が保持される。
例えば、図１などでは超電導ＣＩＣ導体１，４の管路２ａ，５ａに冷媒を流出入させる機構が図示されていないが、円管７とは別途に冷媒供給排出機構を設ける必要がある。
【００１９】
しかし、この実施の形態３では、超電導ＣＩＣ導体１，４の管路２ａ，５ａに冷媒を流出入させる冷却管８を円管７の周囲に取り付けているので、円管７と別個に冷媒供給排出機構を設ける必要がなくなり、装置全体の小型化を図ることができる効果が得られる。
【００２０】
実施の形態４．
図６（ａ）はこの発明の実施の形態４による超電導導体の接続装置を示す斜視図であり、図６（ｂ）はこの発明の実施の形態４による超電導導体の接続装置を示す断面図である。図において、図１と同一符号は同一または相当部分を示すので説明を省略する。
超電導線９は外部変動磁場の方向や変化率に応じて、円管７の外周に所定の間隔で配線されている。なお、超電導線９は円管７の外周に半田付けなどによって固定される。
【００２１】
この実施の形態４の場合も、上記実施の形態１と同様に、超電導ＣＩＣ導体１の端部が円管７の挿入口７ａに挿入され、かつ、超電導ＣＩＣ導体４の端部が円管７の挿入口７ｂに挿入されているので、超電導ＣＩＣ導体１と超電導ＣＩＣ導体４の電気的な接続箇所の小型化を図ることができるが、この実施の形態４では、更に、直流抵抗の低減、並びにジュール熱の発生を抑制する工夫が施されている。
【００２２】
即ち、この実施の形態４では、超電導ＣＩＣ導体１と超電導ＣＩＣ導体４の電気的な接続箇所における抵抗を減らすため、円管７の外周に超電導線９を複数本配線するようにしている。
超電導線９は抵抗がないので、渦電流が円管７より流れ易くなるが、抵抗がないため、ジュール熱の発生量はない。なお、渦電流の大部分は超電導線９を流れ、円管７を流れる渦電流は減少する。
【００２３】
ここで、各超電導線９の間隔や配置は外部変動磁場の方向や変化率を考慮して決定するが、例えば、間隔が広すぎても狭すぎても、ジュール熱の発生量が最小化されないので、試作試験やシミュレーション等を実施することにより、そのジュール熱の発生量が最小化する間隔や位置を精査して決定する。
【００２４】
以上で明らかなように、この実施の形態４によれば、複数本の超電導線９が円管７の外周に配線されているので、変化率が大きな磁場が作用しても、ほとんどの渦電流は抵抗のない超電導線９を流れるため、ジュール熱の発生を抑制することができる効果を奏する。
【００２５】
実施の形態５．
上記実施の形態４では、複数本の超電導線９を円管７の外周に配線するものについて示したが、図７に示すように、複数本の超電導線９を円管７の内周に配線するようにしてもよい。
この場合、上記実施の形態４と同様の効果を奏するが、超電導線９を円管７の内周に配線する方が、円管７の外周に配線するより、円管７を流れる電流が少なくなり、電気的な接続箇所の直流抵抗を低減することができる。
【００２６】
実施の形態６．
上記実施の形態４では、複数本の超電導線９を円管７の外周に直線状に配線するものについて示したが、図８に示すように、複数本の超電導線９を円管７の外周又は内周に螺旋状に配線するようにしてもよい。
例えば、外部変動磁場の方向が紙面垂直下向きであれば、図９に示すように、超電導線９の鎖交面積が小さくなり、発生する渦電流が減少する。
したがって、上記実施の形態４よりも、更に、ジュール熱の発生を抑制することができる効果を奏する。
【００２７】
実施の形態７．
図１０はこの発明の実施の形態７による超電導導体の接続装置を示す斜視図であり、図において、図１と同一符号は同一または相当部分を示すので説明を省略する。
板１０は例えば銅などの高電気伝導材を用いて構成され、外周被覆３が除去されて超電導撚り線２が剥き出しにされている超電導ＣＩＣ導体１の端部と接続するとともに、外周被覆６が除去されて超電導撚り線５が剥き出しにされている超電導ＣＩＣ導体４の端部と接続している。なお、超電導ＣＩＣ導体１，４の超電導撚り線２，５と板１０は半田付けなどにより固定される。
【００２８】
上記実施の形態１では、超電導ＣＩＣ導体１と超電導ＣＩＣ導体４の電気的な接続箇所の小型化を図るために、円管７を用いて超電導ＣＩＣ導体１と超電導ＣＩＣ導体４を電気的に接続しているが、この実施の形態７では、板１０を用いて超電導ＣＩＣ導体１と超電導ＣＩＣ導体４を電気的に接続しているので、上記実施の形態１よりも変動磁場の鎖交面積が減少する。
したがって、この実施の形態４によれば、変化率が大きな磁場が作用しても、渦電流の発生量が減少して、ジュール熱の発生を抑制することができる効果を奏する。
なお、上記実施の形態１と同様に、超電導ＣＩＣ導体１と超電導ＣＩＣ導体４の電気的な接続箇所の小型化を図ることができる。
【００２９】
この実施の形態７では、外周被覆３が除去されて超電導撚り線２が剥き出しにされている超電導ＣＩＣ導体１の端部を板１０に接続し、外周被覆６が除去されて超電導撚り線５が剥き出しにされている超電導ＣＩＣ導体４の端部を板１０に接続するものについて示したが、外周被覆３が除去されて超電導撚り線２が剥き出しにされている超電導ＣＩＣ導体１の端部に銅管を被せて、その銅管を板１０に接続し、外周被覆６が除去されて超電導撚り線５が剥き出しにされている超電導ＣＩＣ導体４の端部に銅管を被せて、その銅管を板１０に接続するようにしてもよい。
【００３０】
実施の形態８．
上記実施の形態７では、同心状の超電導ＣＩＣ導体１，４を電気的に接続するものについて示したが、超電導ＣＩＣ導体１，４が偏心している場合、図１１に示すように、捩れている板１０を用いて、超電導ＣＩＣ導体１と超電導ＣＩＣ導体４を電気的に接続するようにしてもよい。
【図面の簡単な説明】
【００３１】
【図１】この発明の実施の形態１による超電導導体の接続装置を示す斜視図である。
【図２】この発明の実施の形態２による超電導導体の接続装置を示す斜視図である。
【図３】この発明の実施の形態２による超電導導体の接続装置を示す斜視図である。
【図４】この発明の実施の形態２による超電導導体の接続装置を示す斜視図である。
【図５】この発明の実施の形態３による超電導導体の接続装置を示す斜視図である。
【図６】（ａ）はこの発明の実施の形態４による超電導導体の接続装置を示す斜視図であり、（ｂ）はこの発明の実施の形態４による超電導導体の接続装置を示す断面図である。
【図７】（ａ）はこの発明の実施の形態５による超電導導体の接続装置を示す斜視図であり、（ｂ）はこの発明の実施の形態５による超電導導体の接続装置を示す断面図である。
【図８】（ａ）はこの発明の実施の形態６による超電導導体の接続装置を示す斜視図であり、（ｂ）はこの発明の実施の形態６による超電導導体の接続装置を示す断面図である。
【図９】変動磁場により誘起される渦電流の流れを示す説明図である。
【図１０】この発明の実施の形態７による超電導導体の接続装置を示す斜視図である。
【図１１】この発明の実施の形態８による超電導導体の接続装置を示す斜視図である。
【符号の説明】
【００３２】
１  超電導ＣＩＣ導体（第１の電導導体）、２  超電導撚り線、２ａ  管路、３  外周被覆、４  超電導ＣＩＣ導体（第２の電導導体）、５  超電導撚り線、５ａ  管路、６  外周被覆、７  円管、７ａ  挿入口（第１の挿入）、７ｂ  挿入口（第２の挿入）、８  冷却管、９  超電導線、１０  板。
【図１】
0004738755.tif 000002
【図２】
0004738755.tif 000003
【図３】
0004738755.tif 000004
【図４】
0004738755.tif 000005
【図５】
0004738755.tif 000006
【図６】
0004738755.tif 000007
【図７】
0004738755.tif 000008
【図８】
0004738755.tif 000009
【図９】
0004738755.tif 000010
【図１０】
0004738755.tif 000011
【図１１】
0004738755.tif 000012